(57)【要約】  【課題】  本発明は、熟練した職人の手によらずとも音が長く響く安価な残響箱を提供する。  【解決手段】  本発明の残響箱の構造は、直方体形状をした直方体箱１と、その直方体箱１の各側面に取付けられたバネ２（２―１〜２―１２）、バネ３（３―１〜３−８）からなる。バネ２―１〜２−１２を辺ａｂに平行に取付け、バネ３−１〜３−８を辺ａｄに平行に取付けることによって、簡易な構造により響きのよい音を得ることが可能となる。直方体箱１の材質として発泡スチロールを用いれば、材料費も安価に済み、また重量も軽く持ち運びに便利である。【選択図】        図１
2005208260.tif 000002
【特許請求の範囲】
【請求項１】
直方体の箱の相対向する側面間に複数のバネを取付けたことを特徴とする残響箱。
【請求項２】
請求項１に記載の残響箱において、前記複数のバネを直方体の箱の相対向する縦側面及び相対向する横側面間に取付けたことを特徴とする残響箱。
【請求項３】
前記直方体の箱は発砲スチロールで構成されたことを特徴とする残響箱。
【発明の詳細な説明】
【技術分野】
【０００１】
本発明は、箱中に張られた複数のバネに振動を与えることにより発生する残響を利用した残響箱に関する。
【背景技術】
【０００２】
太鼓を叩くと太鼓の表面が振動し、その振動が空気中に伝わり、それが音として人間の耳に伝わる。太鼓の音の響きの持続時間は、太鼓表面の皮の振動がどれだけ長く続くかによる。音の響きをよくするのに特許文献１では、太鼓の内部に波板ばね等の弾性体を取付け、波板ばね等の弾性体の振動を利用して、太鼓表面の皮の振動を長く続かせようとした技術が公開されている。
【特許文献１】実開平０７−０２３３９０
【発明の開示】
【発明が解決しようとする課題】
【０００３】
しかしながら、一般に太鼓自体は、熟練した職人の手で制作されるものであるから値段が高い。また、重量も重い。このため、安価に入手し、持ち運びが簡単に出来るというわけにはいかない。
【０００４】
熟練した職人の手によらずに音が長く響く残響箱を簡単に提供する方法として、バネの振動を利用することが考えられる。本発明は、弾性体、特にバネの振動を利用して、音の響きを長く残存させる安価な残響箱を提供することを目的とする。
【課題を解決するための手段】
【０００５】
上記目的を達成するために、第１の発明は、直方体の箱の相対向する側面間に複数のバネを取付けたことを特徴とする。
【０００６】
第２の発明は、残響箱において、前記複数のバネを直方体の箱の相対向する縦側面及び相対向する横側面間に取付けたことを特徴とする。
【０００７】
第３の発明は、前記直方体の箱は発砲スチロールで構成されたことを特徴とする。
【発明の効果】
【０００８】
第１の発明によれば、熟練した職人の手によらなくとも、音の響きのよい楽器を提供することができる。また、本発明の箱の形状が直方体であるので、楽器の演奏の際に、本発明の残響箱をいくつも積み重ねて、演奏中の楽器の近くに置けば、演奏している楽器の音に共鳴させることができる。
【０００９】
第２の発明によれば、複数のバネを直方体の箱の相対向する縦方向又は相対向する横方向間に取付けてあるので、向かい合う面においては、各バネの残響音が重なり合って大きな音が得られる。
【００１０】
第３の発明によれば、直方体の箱が発砲スチロールで構成されているので、重量が軽い安価な残響箱を提供することができる。
【発明を実施するための最良の形態】
【００１１】
以下、本発明の第１の実施例について図面を参照しながら説明する。図１は、本発明の実施例を示す図である。本発明の残響箱は、直方体形状をした直方体箱１と面ａｄｈｅ、面ｂｃｇｆに張られたバネ２（２―１〜２―１２）と面ａｂｆｅ，面ｃｄｈｇに張られたバネ３（３―１〜３−８）からなる。
【００１２】
直方体箱１の材質は、例えば、発泡スチロールが好ましい。発泡スチロールを用いれば、材料費も安価に済み、また重量も軽く持ち運びに便利であるからである。
【００１３】
本発明の残響箱のバネ２の取付け構造について説明する。図２（A）は、本発明の残響箱の面ａｂｃｄの面の壁部分を外して、その内部を面ａｂｃｄの上面方向から見た平面図である。バネ２−１〜２−４の一端は、面ａｂｃｄの上面方向から見ると、辺ａｄをたとえば、５等分する位置に取付けられ、他端は、辺ｂｃをたとえば、５等分する位置に等間隔に取付けられている。バネ２−１〜２−４は、辺ａｂ（又は辺ｃｄ）に平行になるように取付けられている。図に示されていないバネ２−５〜２−１２、も同様に辺ａｂ（又は辺ｃｄ）に平行になるように取付けられている。
【００１４】
また、図２（B）は、本発明の残響箱の面ａｂｆｅの面の壁部分を外して、面ａｂｆｅに垂直な方向からから見た側面図である。バネ２−４、２−８、２−１２の一端は、面ａｂｆｅに垂直な方向から見ると、辺ａｅをたとえば、４等分する位置に取付けられ、他端は、辺ｂｆをたとえば、４等分する位置に取付けられている。バネ２−４、２−８、２−１２は、辺ａｂ（又は辺ｅｆ）に平行になるように取付けられている。図に示されていないバネ２−５、２−６、２−７、２−９、２−１０、２−１１も同様に辺ａｂ（又は辺ｅｆ）に平行になるように取付けられている。
【００１５】
次にバネ３の取付け構造について説明する。バネ３−１〜３−８の一端は、図２（A）のように、辺ａｂをたとえば、５等分する位置に取付けられ、他端は、辺ｃｄをたとえば、５等分する位置に取付けられている。バネ３−１〜３−８は、辺ａｄ（又は辺ｂｃ）に平行になるように取付けられている。
【００１６】
図２（B）からわかるように、バネ３−１〜３−４が最上方にあり、バネ３−４〜３−８が最下方にあり、その間にバネ２が位置している。しかし、この配置に限られるものでなく、バネ２又はバネ３しかない構成も可能であり、またや取付けるバネ２やバネ３の数を増やしたり、減らしたりする構成も可能である。
【００１７】
次に本発明の使用方法について、以下説明する。本発明は、直方体箱１のいずれかの面を叩くと縦又は横に張ったバネ２、３が振動し、音が残響する。直方体１の各面の中でも特に面ａｄｈｅ，面ｂｃｇｆを叩くと一番残響が残る。これは、本実施例においては、バネ２の本数が多く、これらのバネ２は、面ａｄｈｅ，面ｂｃｇｆに取付けられているからである。だからである。一方、面ａｂｃｄ、面ｅｆｇｈは叩いても残響が少ない。これは、面ａｂｃｄ、面ｅｆｇｈは、バネの一端が取付けられていないため、これらの面を叩いてもバネに加わる振動が小さいからである。また、バネの張り方によって、バネの振動数が変わってくる。バネの張りが強いとバネの振動数が大きくなり、音は高くなる。バネの張りが弱いとバネの振動数が小さくなり、音は、低くなる。
【００１８】
また、本発明を楽器としての使用方法以外に、楽器演奏の際に本発明の残響箱を演奏中の楽器の近くに複数個重ねておくと、演奏の音に残響箱が共鳴するような方法で使用することもできる。この場合、本発明の残響箱のバネが取付けられている面に十分な振動が伝わるように本発明の残響箱を配置する必要がある。バネが取付けられている面に十分な振動が伝わらないと、バネに残響を生じさせる振動を与えられないからである。
【図面の簡単な説明】
【００１９】
【図１】本件発明の一実施例の残響箱を示す斜視図である。
【図２】（A）は、本件発明の一実施例の残響箱を面ａｂｃｄに垂直な方向から見た図である。（B）は、本件発明の一実施例の残響箱を面ａｂｆｅに垂直な方向から見た図である。
【符号の説明】
【００２０】
１  直方体箱
２、２−１〜２−１２、３、３―１〜３―８  バネ
【図１】
2005208260.tif 000003
【図２】
2005208260.tif 000004